【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  配列番号：２または４の成熟蛋白部分の少なくとも６個のアミノ酸、ならびに下記のものを含む単離可溶性複合体：
ａ）配列番号：１２または１３の成熟蛋白部分の少なくとも６個のアミノ酸；または
ｂ）ＣＮＴＦ−Ｒの成熟蛋白部分の少なくとも６個のアミノ酸。
【請求項２】  該複合体が
ａ）成熟した配列番号：２または４の組み換えポリペプチドを含む；あるいは
ｂ）成熟した配列番号：１２または１３の組み換えポリペプチドを含む；あるいは
ｃ）成熟ＣＮＴＦ−Ｒの組み換えポリペプチドを含む；あるいは
ｄ）成熟した配列番号：２または４の組み換えポリペプチド、および成熟した配列番号：１２または１３の組み換えポリペプチドの両方を含む；あるいは
ｅ）成熟した配列番号：２または４の組み換えポリペプチド、および成熟ＣＮＴＦ−Ｒの組み換えポリペプチドの両方を含む；あるいは
ｆ）検出可能に標識されている；あるいは
ｇ）緩衝溶液中にある；あるいは
ｈ）滅菌済み溶液中にある
請求項１の複合体。
【請求項３】  ａ）成熟ＩＬ−Ｂ６０ポリペプチドを含む；あるいは
ｂ）成熟ＣＬＦ−１ポリペプチドを含む；あるいは
ｃ）成熟ＣＮＴＦ−Ｒポリペプチドを含む；あるいは
ｄ）配列番号：２または４の少なくとも７個のアミノ酸の重複していない少なくとも４つのセグメントを示す；あるいは
ｅ）霊長類ＩＬ−Ｂ６０および霊長類ＣＬＦ−１の両方に由来するエピトープを示す；あるいは
ｆ）霊長類ＩＬ−Ｂ６０および霊長類ＣＮＴＦ−Ｒの両方に由来するエピトープを示す；あるいは
ｇ）糖鎖付加されていない；あるいは
ｈ）固体基材に結合されている；あるいは
ｉ）別の化学的部分に抱合されている；あるいは
ｊ）ＦＬＡＧ、Ｈｉｓ６、またはＩｇ配列を包含する検出または精製タグを含む
請求項１の複合体。
【請求項４】  請求項１の複合体、および下記のものを含むキット：
ａ）該複合体を入れるコンパートメント；または
ｂ）該キット中の試薬の使用または処分に関する説明書。
【請求項５】  下記のものを含む単離または組み換えポリペプチド：
ａ）配列番号：２または４のセグメントと同じ少なくとも７個のアミノ酸を含む第１のセグメント、および配列番号：１２または１３のセグメントと同じ少なくとも７個のアミノ酸を含む第２のセグメント；あるいは
ｂ）成熟した配列番号：２または４のセグメントと同じ少なくとも５個のアミノ酸の別個の重複していない少なくとも２つのセグメント、および成熟した配列番号：１２または１３のセグメントと同じ少なくとも７個のアミノ酸を含む第３のセグメント；あるいは
ｃ）成熟した配列番号：２または４のセグメントと同じ少なくとも７個のアミノ酸を含む少なくとも１つのセグメント、および成熟した配列番号：１２または１３のセグメントと同じ少なくとも５個のアミノ酸の別個の重複していない少なくとも２つのセグメント；あるいは
ｄ）配列番号：２または４のセグメントと同じ少なくとも７個のアミノ酸を含む第１のセグメント、および成熟霊長類ＣＮＴＦ−Ｒのセグメントと同じ少なくとも７個のアミノ酸を含む第２のセグメント；あるいは
ｅ）成熟した配列番号：２または４のセグメントと同じ少なくとも５個のアミノ酸の別個の重複していない少なくとも２つのセグメント、および成熟霊長類ＣＮＴＦ−Ｒのセグメントと同じ少なくとも７個のアミノ酸を含む第３のセグメント；あるいは
ｆ）成熟した配列番号：２または４のセグメントと同じ少なくとも７個のアミノ酸を含む少なくとも１つのセグメント、および成熟霊長類ＣＮＴＦ−Ｒのセグメントと同じ少なくとも５個のアミノ酸の別個の重複していない２つのセグメント。
【請求項６】  同一性のある該別個の重複していないセグメントが
ａ）少なくとも８個のアミノ酸の１つのセグメントを含む；あるいは
ｂ）少なくとも５個のアミノ酸の１つのセグメントおよび少なくとも６個のアミノ酸の第２のセグメントを含む；あるいは
ｃ）少なくとも４、５、および６個のアミノ酸の少なくとも３つのセグメントを含む；あるいは
ｄ）少なくとも１２個のアミノ酸の１つのセグメントを含む
請求項５のポリペプチド。
【請求項７】  ａ）成熟ＩＬ−Ｂ６０配列を含む；あるいは
ｂ）成熟ＣＬＦ−１配列を含む；あるいは
ｃ）成熟ＣＮＴＦ−Ｒ配列を含む；あるいは
ｄ）配列番号：２または４の少なくとも７個のアミノ酸の重複していない少なくとも４つのセグメントを示す；あるいは
ｅ）少なくとも約３０個のアミノ酸の長さを有する；あるいは
ｆ）霊長類ＩＬ−Ｂ６０および霊長類ＣＬＦ−１の両方に由来するエピトープを示す；あるいは
ｇ）霊長類ＩＬ−Ｂ６０および霊長類ＣＮＴＦ−Ｒの両方に由来するエピトープを示す；あるいは
ｈ）糖鎖付加されていない；あるいは
ｉ）少なくとも３０ｋＤの分子量を有する；あるいは
ｊ）合成ポリペプチドである；あるいは
ｋ）固体基材に結合されている；あるいは
ｌ）別の化学的部分に抱合されている；あるいは
ｍ）ＦＬＡＧ、Ｈｉｓ６、またはＩｇ配列を包含する検出または精製タグを含む
請求項５のポリペプチド。
【請求項８】  ａ）実質的に純粋なＩＬ−Ｂ６０およびＣＬＦ−１の組み合わせ；または
ｂ）実質的に純粋なＩＬ−Ｂ６０およびＣＮＴＦ−Ｒの組み合わせ；または
ｃ）請求項５の滅菌済みポリペプチド；または
ｄ）請求項５のポリペプチドおよび担体
を含み、該担体が
ｉ）水、セイライン、および／またはバッファーを包含する水性化合物であり；そして／あるいは
ｉｉ）経口、直腸、鼻腔、局所、または非経口投与用に処方されている
ものである組成物。
【請求項９】  請求項５のポリペプチド、および下記のものを含むキット：
ａ）該ポリペプチドを入れるコンパートメント；または
ｂ）該キット中の試薬の使用または処分に関する説明書。
【請求項１０】  ａ）請求項１の複合体を用いて動物において免疫応答を誘発させることを特徴とする、請求項１の複合体を認識する抗体の製造；あるいは
ｂ）請求項１の複合体に抗体の集団を接触させ、次いで、結合しない抗体から結合する抗体を分離することを特徴とする、抗体の免疫選択；あるいは
ｃ）請求項１の複合体を担体と混合することを特徴とする、組成物の処方
のための方法。
【請求項１１】  請求項２ｄまたは２ｅの複合体には特異的に結合するが、配列番号：２、４、１２、１３、またはＣＮＴＦ−Ｒの成熟ポリペプチドのいずれにも特異的に結合しない抗体に由来する抗原結合部位を含む結合化合物。
【請求項１２】  ａ）該結合化合物が
ｉ）容器中にある；あるいは
ｉｉ）Ｆｖ、Ｆａｂ、またはＦａｂ２フラグメントである；あるいは
ｉｉｉ）別の化学的部分に抱合している
ものであるか；あるいは
ｂ）該抗体が
ｉ）実質的に純粋なＩＬ−Ｂ６０とＣＬＦ−１との複合体に対して生起したもの；あるいは
ｉｉ）実質的に純粋なＩＬ−Ｂ６０とＣＮＴＦ−Ｒとの複合体に対して生起したもの；あるいは
ｉｉｉ）免疫選択されたもの；あるいは
ｉｖ）ポリクローナル抗体であるもの；あるいは
ｖ）抗原に対して少なくとも３０μＭのＫｄを示すもの；あるいは
ｖｉ）ビーズまたはプラスチック膜を包含する固体基材に結合されているもの；あるいは
ｖｉｉ）滅菌済み組成物中にあるもの；あるいは
ｖｉｉｉ）放射活性または蛍光標識を包含する標識にて検出可能に標識されているもの
である、請求項１１の結合化合物。
【請求項１３】  ａ）請求項１２の滅菌済み結合化合物、または
ｂ）請求項１２の結合化合物および担体
を含み、該担体が
ｉ）水、セイライン、および／またはバッファーを包含する水性化合物であり；そして／あるいは
ｉｉ）経口、直腸、鼻腔、局所、または非経口投与用に処方されている
ものである組成物。
【請求項１４】  請求項１１の結合化合物、および下記のものを含むキット：
ａ）該結合化合物を入れるコンパートメント；または
ｂ）該キット中の試薬の使用または処分に関する説明書。
【請求項１５】  適当な条件下において、
ａ）ＩＬ−Ｂ６０およびＣＬＦ−１ポリペプチド；または
ｂ）ＩＬ−Ｂ６０およびＣＮＴＦ−Ｒポリペプチド
を含む霊長類複合体を請求項１１の抗体と接触させ、そのことにより抗原：抗体複合体を形成させることを特徴とする、抗原：抗体複合体の製造方法。
【請求項１６】  ａ）該複合体が他のサイトカインから精製される；あるいは
ｂ）該複合体が他の抗体から精製される；あるいは
ｃ）該接触がサイトカインを含む試料との接触である；あるいは
ｄ）該接触が該抗原の定量的検出を可能にする；あるいは
ｅ）該接触が該抗体を含む試料との接触である；あるいは
ｆ）該接触が該抗体の定量的検出を可能にする
ものである請求項１５の方法。
【請求項１７】  ａ）請求項５の該アミノ酸部分をコードしている；あるいは
ｂ）請求項５の該アミノ酸部分をコードしており、配列番号：１または３に由来する少なくとも３０個の連続したヌクレオチドのセグメントを含む；あるいは
ｃ）配列番号：２または４に由来する少なくとも７個の連続したアミノ酸のセグメント、および配列番号：１２または１３に由来する少なくとも７個の連続したアミノ酸のセグメントを同時発現する；あるいは
ｄ）配列番号：２または４に由来する少なくとも７個の連続したアミノ酸のセグメント、およびＣＮＴＦ−Ｒに由来する少なくとも７個の連続したアミノ酸のセグメントを同時発現する
単離または組み換え核酸。
【請求項１８】  ａ）ヒト由来のＩＬ−Ｂ６０をコードしている；あるいは
ｂ）ヒト由来のＣＬＦ−１をコードしている；あるいは
ｃ）ヒト由来のＣＮＴＦ−Ｒをコードしている；あるいは
ｄ）発現ベクターである；あるいは
ｅ）複製開始点をさらに含む；あるいは
ｆ）検出可能標識を含む；あるいは
ｇ）合成ヌクレオチド配列を含む；あるいは
ｈ）６ｋｂ未満、好ましくは３ｋｂ未満である
請求項１７の核酸。
【請求項１９】  請求項１８の組み換え核酸を含む細胞。
【請求項２０】  ａ）原核細胞；または
ｂ）真核細胞；または
ｃ）細菌細胞；または
ｄ）酵母細胞；または
ｅ）昆虫細胞；または
ｆ）哺乳動物細胞；または
ｇ）マウス細胞；または
ｈ）霊長類細胞；または
ｉ）ヒト細胞
である請求項１９の細胞。
【請求項２１】  請求項１８の核酸、および下記のものを含むキット：
ａ）該核酸を入れるコンパートメント；または
ｂ）さらに霊長類ＩＬ−Ｂ６０ポリペプチドを入れるコンパートメント；または
ｃ）さらに霊長類ＣＬＦ−１ポリペプチドを入れるコンパートメント；または
ｄ）さらに霊長類ＣＮＴＦ−Ｒポリペプチドを入れるコンパートメント；または
ｅ）該キット中の試薬の使用または処分に関する説明書。
【請求項２２】  ａ）適当な条件下において請求項１７の核酸を相補的核酸と接触させ、そのことにより２本鎖を形成させることを特徴とする、２本鎖核酸の製造；あるいは
ｂ）請求項１７の核酸を発現させ、そのことによりポリペプチドを得ることを特徴とする、ポリペプチドの発現；あるいは
ｃ）適当な条件下において細胞を請求項１７の核酸と接触させることにより細胞を形質転換することを特徴とする、細胞の形質転換
のための方法。
【請求項２３】  配列番号：１２、１３、または霊長類ＣＮＴＦ−Ｒの少なくとも５個の連続したアミノ酸をコードしており、
ａ）３０℃で３０分かつ２Ｍ未満の塩である洗浄条件下において配列番号：１のコーディング部分にハイブリダイゼーションする；あるいは
ｂ）少なくとも約３０個のヌクレオチドの鎖において霊長類ＩＬ−Ｂ６０に対して同一性を示す
単離または組み換え核酸。
【請求項２４】  ａ）該連続したアミノ酸数が少なくとも８である；あるいは
ｂ）該洗浄条件が４５℃および／または５００ｍＭの塩である；あるいは
ｃ）該鎖が少なくとも５５個のヌクレオチドである
請求項２３の単離核酸。
【請求項２５】  ａ）該連続したアミノ酸数が少なくとも１２である；あるいは
ｂ）該洗浄条件が５５℃および／または１５０ｍＭの塩である；あるいは
ｃ）該鎖が少なくとも７５個のヌクレオチドである
請求項２３の組み換え核酸。
【請求項２６】  哺乳動物ＩＬ−Ｂ６０および
ａ）ＣＬＦ−１；または
ｂ）ＣＮＴＦ−Ｒ
を含む複合体のアゴニストまたはアンタゴニストに細胞を接触させることを特徴とする、細胞または組織培養細胞の生理学または発達をモジュレートする方法。
【請求項２７】  ａ）組み換えＩＬ−Ｂ６０と組み換えＣＬＦ−１もしくはＣＮＴＦ−Ｒとを同時発現させることを特徴とする、請求項１の複合体の製造；あるいは
ｂ）ＩＬ−Ｂ６０ポリペプチドをＣＬＦ−１とともに発現させることを特徴とする、ＩＬ−Ｂ６０ポリペプチドの分泌増加；あるいは
ｃ）ＩＬ−Ｂ６０とともにＣＬＦ−１を発現させることを特徴とする、ＣＬＦ−１ポリペプチドの分泌増加
のための方法。
【請求項２８】  ａ）該増加が少なくとも３倍である；あるいは
ｂ）該発現がＩＬ−Ｂ６０ポリペプチドおよびＣＬＦ−１の一方または両方をコードする組み換え核酸の発現である
請求項２７の方法。
【請求項２９】  請求項１の複合体に結合する受容体をスクリーニングする方法であって、該受容体に該複合体を結合させる条件下において該受容体を発現する細胞に該複合体を接触させ、そのことにより検出可能な相互作用を生じさせることを特徴とする方法。
【請求項３０】  該相互作用が該細胞における生理学的応答を生じさせるものである請求項２９の方法。